(57)【特許請求の範囲】
【請求項１】
後付けで設置されるユニット式スロープにおいて、
板状のフレーム本体に、通行者が歩行する歩行面となる複数の踏み板を固定するための踏み板取付部が直交するようにして配置されるフレームであって、前記フレーム本体の上端部及び／又は下端部に断面略Ｃ字状の蟻溝が当該フレーム本体の長手方向に沿って、且つ、前記踏み板取付部が取り付けられた側とは反対側に開口部を向けて形成されたフレームと、
上端に手摺材が取り付け可能な支柱を立設する支柱取付具と、そして、
前記蟻溝内を移動可能に形成されると共に、第一のネジ部材によって前記支柱取付具を固定するための第一のネジ孔を備えた取付部材と、
を備え、
前記取付部材を前記蟻溝内に挿入して前記支柱を取り付けたい位置へ適宜移動させ、前記第一のネジ部材によって第一のネジ孔に締着して前記支柱取付具を前記フレーム本体に固定することにより、孔開け加工を施すことなく前記支柱の取り付け位置及び傾斜角度、並びに前記歩行面の高さを調整可能としたことを特徴とするユニット式スロープ。
【請求項２】
請求項１に記載のユニット式スロープにおいて、
前記取付部材は、当該取付部材を第二のネジ部材によって前記フレーム本体の適宜の位置に仮止めするための第二のネジ孔をさらに備え、
前記取付部材を前記蟻溝内に挿入して前記支柱を取り付けたい位置へ移動させ、第二のネジ孔を介して前記第二のネジ部材によって当該取付部材を仮止めし、しかる後、前記支柱取付具を第一のネジ孔を介して前記第一のネジ部材によって前記フレーム本体に固定することにより、前記支柱の取り付け位置の位置ズレを防止したことを特徴とするユニット式スロープ。
【請求項３】
請求項１又は２に記載のユニット式スロープにおいて、
前記支柱取付具は、前記支柱が挿入固定される中空状の支柱保持部を備えると共に、前記フレーム本体に取り付けられる面とは反対側の面は当該支柱取付具を当該フレーム本体ネジ止め固定を可能とするために全長にわたって開口した開口部とされ、当該開口部は着脱可能なカバー部材によって覆蓋されるように構成されてなることを特徴とするユニット式スロープ。
【請求項４】
請求項１から３のいずれか１項に記載のユニット式スロープにおいて、
前記支柱保持部の前記開口部の両側面には凹状の被嵌合部が形成されると共に、前記カバー部材には前記被嵌合部と嵌合する凸状の嵌合片が設けられていることを特徴とするユニット式スロープ。
【請求項５】
請求項１から４のいずれか１項に記載のユニット式スロープにおいて、
設置面との段差を解消するために下端側が設置面と接すると共に上端側が最下部に配置された踏み板と連結されて配置される登り板を備え、
前記登り板の上端側には先端部が断面略Ｔ字状に形成された係合片が取り付けられ、前記係合片は前記登り板と連結される前記踏み板の端縁部に設けられた円弧状の断面形状を有する凹部に着脱自在に係合するように形成され、
前記係合片の先端部の長さは、前記凹部の開口長さよりも長く、且つ、前記凹部の直径よりも短く形成され、前記登り板の下端側を持ち上げるようにして傾斜させた状態で前記係合片を前記凹部に挿入し、前記登り板の下端部を設置面に設置して使用状態としたときには前記係合片が前記凹部から抜け出ることなく係合されるようにしたことを特徴とするユニット式スロープ。
【発明の詳細な説明】
【技術分野】
【０００１】
本発明は、ユニット式スロープに関し、特に、手摺材を取り付けるための支柱を保持する支柱取付具を所望の位置に取り付けることができる共に、スロープの角度や設置高さを適宜に決定することができ、また、設置面との段差を解消するための登り板を簡単に取り付け取り外しができるユニット式スロープに関する。
【背景技術】
【０００２】
近年、介護の重要性及びその認識の高まりから、さまざまな介護用品の提案及び提供がなされている。例えば、車椅子などによる住宅や建物からの出入りを容易にするために、住宅や建物の出入り口等に後から設置されるユニット式のスロープがある（特許文献１参照）。このスロープは、概略として、床部と、床部を支持する複数の脚部と、床部から立設された手摺材部とを有して構成されており、床部は、窓などの出入り口の下部と路同一高さに略水平な水平床面を形成するための水平床部と、床面を水平から下方に向けて傾斜させるためのスロープ床部と、を有している。上記複数の脚部のそれぞれは、水平床部の高さの調整、又はスロープ床部の傾斜角度の調整を行うための伸縮可能なアジャスタ部を有している。
【０００３】
また、他のスロープとして、車椅子等が通行するための傾斜スロープ面を、床用フレーム及び床板からなる床部によって形成したユニット式のスロープがある（特許文献２参照）。床用フレームは、荷重受部に形成した山伏傾斜面に載置した状態で支軸によって荷重受部に連結されている。更に、床用フレームはアジャスタ部により脚支柱部の長さを調整すると共に支軸を支点にして回動できる。これにより、床用フレームが脚支柱部に対して傾斜配置され、その傾斜配置した床用フレームに床板を取り付けることにより傾斜スロープ面を形成している。
【０００４】
更に、下板と、この下板の裏面に固定される傾斜角度ブロックと、傾斜角度ブロックの裏面に固定され、その上端の係合部を前記傾斜角度ブロックの孔内に位置させた高さ調整脚とからなるスロープ構成部材を複数形成し、各高さ調整脚の高さを調整して、これらのスロープ構成部材の下板で連続した傾斜面を形成すると共に、隣接する下板のつなぎ目と隣接する上板のつなぎ目が合致しないように各下板上に複数の上板を固定するようにした段差解消スロープ及びその施工方法が知られている（特許文献３参照）。この構成により、緩やかな傾斜角度により段差解消したスロープを短時間に及び安全に形成できるようにしている。
【先行技術文献】
【特許文献】
【０００５】
【特許文献１】特開２００５−３２０８２６号公報
【特許文献２】特開２００７−１３８４８０号公報
【特許文献３】特開平１１−６２１５０号公報
【発明の概要】
【発明が解決しようとする課題】
【０００６】
しかしながら、上記特許文献１〜３に開示されたスロープにあっては、スロープを支持するための支柱は傾斜可能に形成されてはいるものの、その取り付け位置は予め定められた位置に限定されているか、或いは、支柱を取り付けるための支柱取付具が予め定められた位置に取り付けられており、支柱の取り付け位置を自由に選べないものであった。そのため、取付現場の状況に応じて支柱の位置を少し移動させたいような場合があっても対応が困難であった。
【０００７】
また、ユニット式のスロープを設置する場合、これまでは設置現場での加工、作業は負担となるため、できるだけ行わない方が良いとの考えから組み立て作業のみで完成するようなユニットとして形成されていた。しかし、現場での加工作業が作業者に負担の少ない簡便な作業、例えば、孔開け作業等の場合には、かえって現場で加工作業をして設置した方が上記したような設置現場の状況では作業性が良い場合もある。
【０００８】
そこで、本発明は、かかる問題点に鑑みなされたもので、ユニット式のスロープを後付けで設置する場合に、設置場所の状況が様々に異なる場合であっても現場で簡単に任意の位置に支柱を取り付けることが可能なユニット式スロープを提供することを目的とする。
【０００９】
また、本発明は、登り板をスロープユニットに簡単、短時間、且つ、安全に取り付け取り外しすることが可能なユニット式スロープを提供することを目的とする。
【課題を解決するための手段】
【００１０】
上記課題を解決するために請求項１に記載の発明は、後付けで設置されるユニット式スロープにおいて、板状のフレーム本体に、通行者が歩行する歩行面となる複数の踏み板を固定するための踏み板取付部が直交するようにして配置されるフレームであって、フレーム本体の上端部及び／又は下端部に断面略Ｃ字状の蟻溝が当該フレーム本体の長手方向に沿って、且つ、踏み板取付部が取り付けられた側とは反対側に開口部を向けて形成されたフレームと、上端に手摺材が取り付け可能な支柱を立設する支柱取付具と、そして、蟻溝内を移動可能に形成されると共に、第一のネジ部材によって支柱取付具を固定するための第一のネジ孔を備えた取付部材と、を備え、取付部材を蟻溝内に挿入して支柱を取り付けたい位置へ適宜移動させ、第一のネジ部材によって第一のネジ孔に締着して支柱取付具をフレーム本体に固定することにより、孔開け加工を施すことなく支柱の取り付け位置及び傾斜角度、並びに歩行面の高さを調整可能としたことを特徴とする。
【００１１】
上記課題を解決するために請求項２に記載の発明は、請求項１に記載のユニット式スロープにおいて、取付部材は、当該取付部材を第二のネジ部材によってフレーム本体の適宜の位置に仮止めするための第二のネジ孔をさらに備え、取付部材を蟻溝内に挿入して支柱を取り付けたい位置へ移動させ、第二のネジ孔を介して第二のネジ部材によって当該取付部材を仮止めし、しかる後、支柱取付具を第一のネジ孔を介して第一のネジ部材によってフレーム本体に固定することにより、支柱の取り付け位置の位置ズレを防止したことを特徴とする。
【００１２】
上記課題を解決するために請求項３に記載の発明は、請求項１又は２に記載のユニット式スロープにおいて、支柱取付具は、支柱が挿入固定される中空状の支柱保持部を備えると共に、フレーム本体に取り付けられる面とは反対側の面は支柱取付具をフレーム本体ネジ止め固定を可能とするために全長にわたって開口した開口部とされ、開口部は着脱可能なカバー部材によって覆蓋されるように構成されてなることを特徴とする。
【００１３】
上記課題を解決するために請求項４に記載の発明は、請求項１から３のいずれか１項に記載のユニット式スロープにおいて、支柱保持部の開口部の両側面には凹状の被嵌合部が形成されると共に、カバー部材には被嵌合部と嵌合する凸状の嵌合片が設けられていることを特徴とする。
【００１４】
上記課題を解決するために請求項５に記載の発明は、請求項１から４のいずれか１項に記載のユニット式スロープにおいて、設置面との段差を解消するために下端側が設置面と接すると共に上端側が最下部に配置された踏み板と連結されて配置される登り板を備え、登り板の上端側には先端部が断面略Ｔ字状に形成された係合片が取り付けられ、係合片は登り板と連結される踏み板の端縁部に設けられた円弧状の断面形状を有する凹部に着脱自在に係合するように形成され、係合片の先端部の長さは、凹部の開口長さよりも長く、且つ、凹部の直径よりも短く形成され、登り板の下端側を持ち上げるようにして傾斜させた状態で係合片を凹部に挿入し、登り板の下端部を設置面に設置して使用状態としたときには係合片が凹部から抜け出ることなく係合されるようにしたことを特徴とする。
【発明の効果】
【００１５】
本発明に係るユニット式スロープによれば、ユニット式スロープを後付けで設置する場合に、それぞれ異なる設置場所の状況であっても設置場所の状況に応じて現場で簡単にフレーム本体の任意の位置に支柱を取り付けることができるという効果がある。
また、本発明に係るユニット式スロープによれば、支柱を取り付けるための支柱取付具を位置ズレを起こすことなく正しい位置に取り付けることができるという効果がある。
さらに、本発明に係るユニット式スロープによれば、支柱取付具に簡単に支柱を取り付けることができるという効果がある。
また、本発明に係るユニット式スロープによれば、登り板を踏み板に簡単、短時間、且つ、安全に取り付け取り外しができるという効果がある。
【図面の簡単な説明】
【００１６】
【図１】本発明に係るユニット式スロープの実施の形態を示す全体構成図である。
【図２】図１に示す第一のスロープユニットにおける登り板の連結部の構成を示す断面図である。
【図３】図１に示すフレーム及び取付具本体の構成を示す分解斜視図である。
【図４】図１に示す登り板の取り付け開始状態を示す図である。
【図５】図４に示す登り板の連結部材を踏み板固定部に装着した状態を示す図である。
【発明を実施するための形態】
【００１７】
［ユニット式スロープの構成］
図１は、本発明に係るユニット式スロープの実施の形態を示す全体構成図である。このユニット式スロープ１は、概略として、下端が地面等に接する角度の傾斜を有する第一のスロープユニット１１と、第一のスロープユニット１１の上端に水平又は第一のスロープユニット１１とは異なる傾斜角で連結される第二のスロープユニット１２とを備えて構成され、第一，第二のスロープユニット１１，１２は、左右の両側にそれぞれに配置されたフレーム１３，１３と、フレーム１３の側面の長さ方向の所定位置に取り付けられた複数の支柱取付具１４，１４と、支柱取付具１４のそれぞれに保持された複数の支柱１５，１５と、支柱１５のそれぞれの上端に取り付けられた自在継手１６と、支柱１５のそれぞれの下端に取り付けられた複数の石突き１７と、自在継手１６の相互間に取り付けられた手摺材１８と、左右のフレーム１３，１３に架け渡されるようにして連続的に取り付けられた複数の踏み板（床板）１９，１９と、を備えている。支柱１５及び手摺材１８は、例えば、木材、金属、合成樹脂等の柱状パイプなどによって形成される。
【００１８】
第一，第二のスロープユニット１１，１２は、通行者が踏み板１９上を自由に通れる幅を有している。その路面は、板状の複数の踏み板１９によって形成されている。但し、第一のスロープユニット１１は、最下段の１枚が踏み板１９とは異なる形状を有する登り板２０になっている。この登り板２０は、地面等の設置面（ＧＬ）との段差を解消するために設けられ、その下端（図１の左側端）が設置面に接触するようになっている。なお、複数の踏み板１９は、踏み板複数枚分に相当する１枚の大きな板材であってもよい。
【００１９】
図２は、図１に示す第一のスロープユニット１１における登り板２０の連結部の構成を示す断面図である。登り板２０は、その上端側（踏み板１９と連結される側）が下方側へ折り曲げられた形状とされ、折り曲げ面には連結部材２１が取り付けられている。この連結部材２１は、その一端側には登り板２０に固定するためのネジ部２１０が形成されており、他端側には断面略Ｔ字状の係合片２１１が設けられている。この係合片２１１は、先端部の長さが踏み板１９に設けられた凹部２３２の開口長よりも長いと共に、凹部２３２の直径よりも短く形成されている。なお、連結部材２１はネジ部２１０をナット２２によって登り板２０の折曲部２０１にネジ止め固定される。
【００２０】
連結部材２１の係合片２１１は、フレーム１３に取り付けられた踏み板１９の踏み板固定部２３に係着される。踏み板固定部２３は、係合片２１１の挿入口となる開口２３１と、この開口２３１を通して嵌入された係合片２１１を回動自在に保持する円弧状の断面形状を有する凹部２３２と、登り板２０に隣接する踏み板１９が取り付けられる構造体２３３と、を備えている。
【００２１】
図３は、フレーム１３及び支柱取付具１４の構成を示す分解斜視図である。まず、フレーム１３の構成について説明する。フレーム１３は、例えば、アルミニウム材による押し出し成型によって形成され、全体としてＴ字形状を有し、その垂直部分が支柱１５を取り付けるフレーム本体１３ａとなり、水平部分が踏み板１９を取り付ける踏み板取付部１３ｂとなっている。フレーム本体１３ａは、その上部側及び下部側にそれぞれ長手方向に沿って且つ外側に開口を有する蟻溝１３１Ａ，１３１Ｂが設けられている。この蟻溝１３１Ａ，１３１Ｂには、図３に示すように、ネジ径の異なる第一，第二のネジ孔２４１，２４２が設けられた長板状の取付部材２４が嵌入されるようになっている。
【００２２】
次に、支柱取付具１４の構成について説明する。支柱取付具１４は、図３に示すように、一面側が開口するようにして形成された本体２５と、本体２５の開口部を覆うように取り付けられるカバー部材２６とからなる。本体２５は、外面が断面略コ字状を成した筐体２５１と、取り付けるべき支柱１５の断面形状に即した断面形状を有する支柱保持部２５２が筐体２５１と一体に形成され、支柱保持部２５２に支柱１５が挿入されるようになっている。また、筐体２５１の両側壁と支柱保持部２５２との間には、凹状、具体的には断面略Ｃ字状の被嵌合部２５３Ａ，２５３Ｂが形成されている。カバー部材２６は、断面略コ字状を有すると共に筐体２５１と同一の幅を有する筐体２６１と、被嵌合部２５３Ａ，２５３Ｂに嵌合する凸状の嵌合片２６２Ａ，２６２Ｂを備えている。なお、支柱保持部２５２は、挿入された支柱１５を図示しないネジ部材によって固定するための少なくとも１つの孔（図示せず）が所定の位置に設けられている。
【００２３】
［ユニット式スロープの組み立て］
次に、ユニット式スロープ１の組み立てについて説明する。まず、作業者は、フレーム１３、支柱取付具１４、支柱１５、自在継手１６、石突き１７、手摺材１８、踏み板１９及び登り板２０のそれぞれを必要な数だけ準備する。ついで、作業者は、支柱１５のそれぞれに石突き１７を取り付ける。次に、作業者は、第一，第二のスロープユニット１１，１２の組み立てを実施する。
【００２４】
まず、第二のスロープユニット１２の組み立てについて説明する。作業者は、一対のフレーム１３、３を所定の距離で平行に配置した後、必要枚数の踏み板１９，１９をフレーム１３の長手方向へ沿って踏み板取付部１３ｂに連続に架け渡すようにして並べて取り付ける。
【００２５】
次に、第二のスロープユニット１２のフレーム１３のそれぞれに必要な数の支柱取付具１４を取り付ける。支柱取付具１４の取り付けは、図３に示すように、まず、フレーム１３の蟻溝１３１Ａ，１３１Ｂ内に取付部材２４を挿入し、この取付部材２４を支柱１５を取り付けたい位置まで移動させる。そして、その位置で第二のネジ部材２７によって取付部材２４をフレーム本体１３ａに仮固定する。この施工によって、取付部材２４は蟻溝１３１Ａ（１３１Ｂ）内での移動を阻止することで支柱取付具１４の取り付け位置の位置ズレを防止している。また、取付部材２４取り付け位置によってフレーム１３の配置角度が決定される。次に、支柱取付具１４の本体２５を第一のネジ部材２８によって取付部材２４に固定する。このような作業を取り付けた取付部材２４ごとに実施する。
【００２６】
次に、作業者は、石突き１７を取り付け済みの支柱１５を本体２５の支柱保持部２５２内に挿入する。更に作業者は、例えば、フレーム１３を持ち上げながら支柱１５の高さ位置を決定し、その状態を保ちながら図示しないネジ部材によって支柱１５を支柱保持部２５２に固定する。次に、作業者は、本体２５の筐体２５１の被嵌合部２５３Ａ，２５３Ｂにカバー部材２６の嵌合片２６２Ａ，２６２Ｂを合致させながら筐体２６１を筐体２５１に取り付ける。作業者は、以上の一連の作業を支柱取付具１４ごとに実施する。
【００２７】
次に、作業者は、支柱１５のそれぞれの上端に自在継手１６を取り付けた後、自在継手１６の相互間に手摺材り材１８を架け渡し、手摺材１８の両端を図示しないネジ部材によって自在継手１６に固定する。以上の作業により第二のスロープユニット１２の組み立てが完了する。
【００２８】
次に、作業者は、第一のスロープユニット１１を組み立てる。第一のスロープユニット１１は、第二のスロープユニット１２と同様に一対のフレーム１３の上面に踏み板１９の必要枚数をフレーム１３の長手方向に並べて取り付ける。次に、第一のスロープユニット１１の下端に登り板２０を取り付ける。この登り板２０の取り付けについて、図４及び図５を参照して説明する。
【００２９】
図４及び図５は登り板２０の取り付け手順を示し、図４は、図１に示す登り板の取り付け開始状態を示す図、図５は図４に示す登り板の連結部材を踏み板固定部に装着した状態を示す図である。まず、連結部材２１を取り付け済みの登り板２０を準備する。そして、登り板２０の下端側を持ち上げるようにして傾斜させた状態（図４参照）で、係合片２１１を開口２３１を介して手凹部２３２に挿入する（図５参照）。この状態のまま、係合片２１１を中心として登り板２０の全体を図５に示す反時計方向に回動させ、その下端（図２の左側端）を設置面ＧＬに接触させると、図２に示す状態になる。この状態で登り板２０を図２に示す左方向へ引いたとしても、係合片２１１の先端部の長さは凹部２３２の開口長さより大であるため、係合片２１１は凹部２３２から抜け出すことはない。登り板２０を取り外す場合には、上記動作とは逆にすれば簡単に取り外すことができる。
【００３０】
更に、作業者は、上記した第二のスロープユニット１２に対する作業と同様にして、取付部材２４、支柱取付具１４、支柱１５、手摺材１８等を第一のスロープユニット１１に取り付ける。なお、取付部材２４は、図１に示すように、第一のスロープユニット１１に対しては、傾斜角度に応じた長さのものを適宜取り付ける。最後に、作業者は、第一のスロープユニット１１と第二のスロープユニット１２とを連結する。以上により、ユニット式スロープ１が完成する。尚、本実施形態は第一のスロープユニット１１と第二のスロープユニット１２の２つユニットによって構成されているが、第二のスロープユニット１２にさらに他のスロープユニットを複数連結することも可能であり、スロープユニット同士を連結する際に９０°方向に折り曲げて取り付けることも可能である。
【００３１】
［実施の形態の効果］
本実施の形態のユニット式スロープ１によれば、フレーム１３に蟻溝１３１Ａ，１３１Ｂを設けて取付部材２４を取り付け、この取付部材２４に支柱取付具１４を固定するようにしたので、支柱１５を任意の位置に簡単にしかも迅速に取り付けることができる。
また、登り板２０に連結部材２１を取り付け、フレーム１３に設けた踏み板固定部２３の凹部２３２に斜め方向から連結部材２１の係合片２１１を挿入し、登り板２０を使用状態の位置へ回動させることにより、登り板２０は踏み板固定部２３に係着される。したがって、登り板２０を容易、簡単、及び安全に第一のスロープユニット１１に取り付けることができると共に登り板２０の傾斜を第一のスロープユニット１１と設置面に追従させることができる。
また、支柱取付具１４を固定するための取付部材２４がフレーム１３に設けられた蟻溝１３１Ａ，１３１Ｂにおける任意の位置へ水平移動できるため、支柱取付具１４を任意の位置に取り付けることができ、これにより、支柱１５を所望の位置に位置ズレを生じることなく取り付けることができる。
さらに、支柱取付具１４は、支柱１５が挿入される支柱保持部２５２を備えた本体２５と、この本体２５に着脱自在に嵌合するカバー部材２６とに分割できるため、支柱１５を支柱保持部２５２に挿入した後にカバー部材２６を本体２５に嵌め込むのみで支柱取り付け作業が完了するので、支柱１５の取付作業を簡単、安全及び短時間に終了させることができる。
【００３２】
［他の実施の形態］
なお、本発明は、上記実施の形態に限定されず、本発明の技術思想を逸脱或いは変更しない範囲内で種々の変形が可能である。例えば、作業の順番を入れ換えることができる。例えば、支柱取付具１４や支柱１５などの取り付けを先にし、踏み板１９などの取り付けを後にしてもよい。
【００３３】
更に、上記実施の形態においては、ユニット式スロープ１が第一，第二のスロープユニット１１，１２からなるものとしたが、第一のスロープユニット１１又は第二のスロープユニット１２の一方のみにしてもよい。或いは、第二のスロープユニット１２を２つ以上にする構成も可能である。
【００３４】
また、支柱取付具１４は、上記実施の形態とは逆に、被嵌合部２５３Ａ，２５３Ｂがカバー部材２６に設けられ、嵌合片２６２Ａ，２６２Ｂが本体２５に設けられていてもよい。
【００３５】
また、図２及び図３に示した踏み板固定部２３及び踏み板取付部１３ｂの形状は、一例であり、この形状に限定されるものではない。
【００３６】
また、蟻溝１３１Ａ，１３１Ｂは２つにしたが、１つ又は２つ以上であってもよい。
【００３７】
また、手摺材り材１８及び支柱１５は、必ずしも、必要では無く、周囲の状況、踏み板１９の幅、踏み板１９の設置面ＧＬからの高さ等によっては、省略することができる。
【００３８】
また、支柱取付具１４の長さは、第一のスロープユニット１１と第二のスロープユニット１２とで長さを異ならせたが、支柱取付具１４を或る長さ（高さ）で標準化し、支柱取付具１４に対する支柱１５の取り付け位置を調整することによって踏み板１９の高さを調整してもよい。
【００３９】
また、上記実施形態では支柱１５が挿入される支柱保持部２５２の断面形状を略Ω形状としたが、この形状に限定されるものではなく、断面略円形状、角形状（三角形、四角形、多角形など）などであってもよい。
【符号の説明】
【００４０】
１        ユニット式スロープ
１１      第一のスロープユニット
１２      第二のロープユニット
１３      フレーム
１３ａ    フレーム本体
１３ｂ    踏み板取付部
１４      支柱取付具
１５      支柱
１６      自在継手
１７      石突き
１８      手摺材
１９      踏み板
２０      登り板
２１      連結部材
２２      ナット
２３      踏み板固定部
２４      取付部材
２５      本体
２６      カバー部材
２７      第二のネジ部材
２８      第一のネジ部材
１３１Ａ  蟻溝
１３１Ｂ  蟻溝
２０１    折曲部
２１０    ネジ部
２１１    係合片
２３１    開口
２３２    凹部
２３３    構造体
２４１    第一のネジ孔
２４２    第二のネジ孔
２５１    筐体
２５２    支柱保持部
２５３Ａ  被嵌合部
２５３Ｂ  被嵌合部
２６１    筐体
２６２Ａ  嵌合片
２６２Ｂ  嵌合片
【図１】
0005578905.tif 000002
【図２】
0005578905.tif 000003
【図３】
0005578905.tif 000004
【図４】
0005578905.tif 000005
【図５】
0005578905.tif 000006